(57)【要約】  品物を保護するための盗難防止ボックス（１００）は、保護される品物用の内部空間を限定している本体（１１０）と、該本体（１１０）を閉鎖する蓋（１２０）と、前記盗難防止ボックス（１００）がアラーム・ゲートを通過する場合に中央アラームをトリガするアラーム送信器と、前記蓋（１２０）を前記本体（１１０）に対して施錠する解放可能な錠（１４０、１４５、１５０、１６０）とを有している。本発明に係る盗難防止ボックスは、更に前記解放可能な錠（１４０、１４５、１５０、１６０）が施錠位置になっていると閉じられると共に前記解放可能な錠（１４０、１４５、１５０、１６０）が解錠位置になっていると開かれるように制御される内部アラーム回路（２００）も有している。該内部アラーム回路（２００）は第一スイッチ（２１０）を有していて、該第一スイッチ（２１０）は、閉じた状態において、前記蓋（１２０）と前記本体（１１０）とが分離されているのを該第一スイッチ（２１０）が示した場合前記アラーム回路をトリガして音響信号を放出させるように構成されている。【選択図】図２
2008529154.tif 000002
【特許請求の範囲】
【請求項１】
品物を保護するための盗難防止ボックス（１００）であって、該盗難防止ボックス（１００）は、保護される品物用の内部空間を限定している本体（１１０）と、該本体（１１０）を閉鎖する蓋（１２０）と、前記盗難防止ボックス（１００）がアラーム・ゲートを通過する場合に中央アラームをトリガするアラーム送信器と、前記蓋（１２０）を前記本体（１１０）に対して施錠する解放可能な錠（１４０、１４５、１５０、１６０）とを有しており、前記解放可能な錠（１４０、１４５、１５０、１６０）が施錠位置になっていると閉じられると共に前記解放可能な錠（１４０、１４５、１５０、１６０）が解錠位置になっていると開かれるように制御される内部アラーム回路（２００）であって、該内部アラーム回路（２００）は第一スイッチ（２１０）を有し、該第一スイッチ（２１０）は、閉じられた状態において、前記蓋（１２０）と前記本体（１１０）とが分離されているのを該第一スイッチ（２１０）が示す場合に前記アラーム回路をトリガして音響信号を放出させるように構成されている、内部アラーム回路を特徴とする盗難防止ボックス。
【請求項２】
前記アラーム回路（２００）は、前記錠（１４０、１４５、１５０、１６０）が施錠位置になっているかどうかを示す第二スイッチ（２２０）に接続されている請求項１記載の盗難防止ボックス。
【請求項３】
前記アラーム回路（２００）にはタイミング回路が設けられており、該タイミング回路は、前記アラーム回路がトリガされるとすぐ所定時間に亘ってサイレン（２００）を鳴らす請求項１又は２記載の盗難防止ボックス。
【請求項４】
前記アラーム回路（２００）が閉じているかどうかをダイオード・ランプ（２４０）が示す前記請求項のいずれかに記載の盗難防止ボックス。
【請求項５】
前記解放可能な錠（１４０、１４５、１５０、１６０）の位置を示す第二スイッチ（２２０）は、前記アラーム回路（２００）を閉じるように構成されている請求項２記載の盗難防止ボックス。
【請求項６】
前記音響信号は、ピエゾ電気型サイレン（２４０）によって発生される前記請求項のいずれかに記載の盗難防止ボックス。
【発明の詳細な説明】
【技術分野】
【０００１】
本発明は、品物を保護するための盗難防止ボックスに関する。盗難防止ボックスは、保護されるべき品物のための内部空間を限定している本体と、該本体を閉鎖する蓋と、前記盗難防止ボックスがアラーム・ゲートを通過する場合に中央アラームをトリガするアラーム送信器と、前記蓋を前記本体に対して施錠する解放可能な錠とを有している。
【背景技術】
【０００２】
例えば、店、問屋又はスーパーマーケットで販売する品物を閉鎖され施錠される透明なアラーム・ボックスに入れることによって、それら品物を盗難防止の防護をすることは良く知られた手法である。それらボックスのそれぞれには、もし店で或る人がそのようなボックスをアラーム・ゲートによって限定された制限区域外に持ち出そうとすれば店の中央アラーム装置をトリガするアラーム送信器が設けられている。品物について支払済みのときは、レジ係の人は特別に設計された鍵によってボックスを開けて、ボックスの中に格納され保護されていた品物を取り出すことになり、その後に顧客は店の中央アラーム装置をトリガすること無しに品物を安全に制限区域外に持ち出すことができる。
【０００３】
ボックスが透明であると言う事実は、製品が異なった方向から見られるので製品に対する印象を顧客が得ることの助けになる。このような特徴は、製品の保護を少しも高めることにはならないとはいえ、販売の観点から非常に重要であることが分かる。
【発明の開示】
【発明が解決しようとする課題】
【０００４】
従来技術の盗難防止ボックスに係わる明らかな問題点は、万引犯が正規の鍵の所に行かずにボックスを開けようとする点であり、経験上分かっている盗難防止ボックスを開ける最も一般的な方法は、スクリュードライバなどを蓋と本体との間に差し込んで力尽くで蓋を開けようとするやり方である。
【０００５】
不法にボックスを開ける別の一般的な方法は、切断工具を使用して、蓋と本体とを連結している蝶番を切り離すやり方である。蝶番が切り離された後に、蓋は本体から分離され、本体内の品物に手が届くことになる。
【０００６】
以上を鑑み、本発明の目的は、保護される品物を収容した盗難防止ボックスを不法に開ける万引犯に係る問題点を解決しようとするものである。
【課題を解決するための手段】
【０００７】
上で認識された問題点は、解放可能な錠が施錠位置になっていると閉じられ、該解放可能な錠が解錠位置になっていると開かれるように制御される内部アラーム回路によって解決されるものであり、その内部アラーム回路は、本体と蓋との間にスイッチを有していて、該スイッチは閉じられた状態において、蓋と本体とが分離されているのを本体と蓋との間のスイッチが示している場合にアラーム回路をトリガして音響信号を放出させるように構成されている。
【０００８】
設計基準によって、前記錠が施錠位置になっているかどうかを示す第二スイッチに前記アラーム回路が接続されていれば好ましい。
【０００９】
万引犯がトリガ時に即座に音響信号を止めてしまうのを回避するために、前記アラーム回路にはタイミング回路が設けられ、前記アラーム回路がトリガされるとすぐ前記タイミング回路が所定時間に亘ってサイレンを鳴らせば好ましい。
【００１０】
アラーム回路に対して万引犯に用心させることで万引犯に思いとどまらせるために、前記盗難防止ボックスの有利な実施例には、前記アラーム回路が閉じているかどうかを表示するダイオード・ランプが設けられる。
【００１１】
設計を簡素化するために、前記解放可能な錠の位置を示す第一スイッチが、前記アラーム回路を閉じるように構成されていれば有利である。
【００１２】
音響レベルが高く、コスト効果が有ってコンパクトであると言う理由で、前記音響信号はピエゾ電気型サイレンによって発生されれば好ましい。
【発明を実施するための最良の形態】
【００１３】
以下に、本発明を添付図面を参照して説明する。
図１から図３において、本発明に係るアラーム・ボックス１００が示されている。アラーム・ボックス１００は、本体１１０と、蓋１２０と、本体１１０の一端と蓋１２０とを回転可能に接続する蝶番１３０とを有している。更に、アラーム・ボックス１００は、蝶番１３０の反対側位置において導電性磁性材から造られ且つ本体１１０の頂部に設けられたトラック１５０に沿って移動可能な錠手段１４５を有した錠部材１４０を有している。錠手段１４５は、蓋１２０に設けられた錠タブ１６０と協同して蓋１２０を本体１１０に施錠する。錠部材１４０の移動は、制御ノブ１７０によって且つ二つの舌片１８０によって制御されるものであり、舌片は蓋１２０に設けられた肩部１９０と協同する。
【００１４】
アラーム・ボックス１００を施錠するために、本体１１０と蓋１２０は共に合わされ、その際に制御ノブ１７０は施錠方向に動かされる。この動きで舌片１８０を強制的に肩部１９０を越えて『クリック』させて、同時に錠手段１４５との相互作用によって錠タブ１６０を施錠する。ボックスを解錠するために、二つの強力磁石を有した『磁石鍵』が使用され、それら強力磁石が舌片１８０を肩部１９０との係合を解くように引き込み、それで錠部材１４０が解錠位置に移動できるようにする。
【００１５】
前記構成部品の働きは、本発明のいずれの部分も構成するものではなく、ヨーロッパ特許出願第０３０７７９６１．８号にも良く説明されているものであり、そのため前記構成部品の働きについての前記説明はやや少なくなっている。従来技術に係わるアラーム・ボックスに関する前記欠点を克服するために、本発明に係わるアラーム・ボックス１００は、蓋１２０が閉鎖位置になっているかどうかを検出するための第一スイッチ２１０と、錠部材１４０が施錠位置になっているかどうかを検出するための第二スイッチ２２０と、アラーム回路２００の一部を成すサイレン２３０とに接続されたアラーム回路２００を有している。オプションで、アラーム回路２００は、第一スイッチ２１０が蓋１２０の開放を検出した場合、アラームを鳴らすためにアラーム回路２００が閉じているかどうか、即ち作動されているかどうかを示すダイオード・ランプ２４０を有するか、又はそれに接続され得るものである。
【００１６】
その最も簡単な形態では、蓋１２０が開いているのを第一スイッチ２１０が示し、錠部材１４０が施錠位置になっているのを第二スイッチ２２０が示している場合、アラーム回路２００はサイレン２３０を鳴らすことになる。この実施例には、アラームを思わず知らずにトリガするリスクが有り、蓋１２０が開放位置になっているときに錠部材１４０が施錠位置に移動されることは必ず起き得るものである。
【００１７】
本発明の第二実施例では、アラーム回路２００は、次の基準；即ち、錠部材１４０が施錠位置になっているのを第二スイッチ２２０が示し、また位置の変化、即ち閉鎖から開放への表示の違いを第一スイッチ２１０が示すという基準にただ合致さえすればトリガを起こすように設計されている。
【００１８】
このように、たとえ蓋１２０が開いていても、サイレン２３０を鳴らすアラーム回路２００をトリガせずに錠部材１４０は施錠位置に移動させることができる。この実施例のために、アラーム回路２００がトリガされた後でサイレンを所定時間、例えば１−３０秒間、例えば５−２０秒間、例えば１０−１５秒間鳴らすタイミング機能をアラーム回路２００が有していれば有利である。タイミング機能を第一実施例のアラーム回路に加えることで、アラーム回路がトリガされた後即座に改悛の余地のない万引犯が第一スイッチ２１０を押してアラームを不作動化するのが回避される。
【００１９】
第一スイッチ２１０は、機械式マイクロ・スイッチ、又はスイッチ・ユニットと永久磁石とから成るタイプの磁石式マイクロ・スイッチを有しており、永久磁石がスイッチ・ユニットから離れた場合、スイッチ・ユニットはこの状態を示すことになる。好ましい解決を行うには、永久磁石を蓋１２０に固定すると共にスイッチ・ユニットを本体１１０に固定すべきである。
【００２０】
第二スイッチ２２０に関しては、このスイッチは好ましくは施錠部材１４０の一端に接近して設けられた導電材製の簡単な舌片を有しており、施錠部材１４０は、アラーム回路２００を閉じらせる電気回路の一端に電気接続され、舌片は該電気回路の他端に電気接続されており、施錠部材１４０が施錠位置に移行されると、舌片と施錠部材は互いに接触するようになり、それで電気回路を閉じてアラーム回路を閉じた状態にさせることになる。
【００２１】
サイレン（２３０）は、好ましくはピエゾ電気型となっており、その種のサイレンは非常に高い音響レベルを有すると共に、それらはコンパクトであり、またそれらはコスト効果が有る。サイレンから放出される音響レベルを高めるために、本体壁に貫通した開口が設けられている。この開口は、好ましくは、例えば指で開口を塞ぐのが難しくなる寸法を有するように設計されている。
【００２２】
本発明は、更にボックスとは異なったアラーム装置の構成にも使用されるものであり、そのような構成の一例として第一本体を第二本体に蝶番接続されているものがあり、閉鎖位置の前記両本体は、例えばボトルネックなどの保護される細長い対称物に対して施錠用の空間を形成することになる。
【００２３】
勿論、本発明の技術範囲に包含される幾つかの改造例が存在している。そのような改造例については全てをここに掲載しておらず、本発明の技術範囲は、ただ添付された特許請求の範囲の特徴によって限定されているに過ぎない。
【図面の簡単な説明】
【００２４】
【図１】本発明に係るアラーム・ボックスを示している分解斜視図である。
【図２】図１のアラーム・ボックスの組立斜視図である。
【図３】アラーム・ボックスが閉じているどうかを示すダイオード・ランプを有したアラーム・ボックスの正面図である。
【図１】
2008529154.tif 000003
【図２】
2008529154.tif 000004
【図３】
2008529154.tif 000005
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
品物を保護するための盗難防止ボックス（１００）であって、該盗難防止ボックス（１００）は、保護される品物用の内部空間を限定している本体（１１０）と、該本体（１１０）を閉鎖する蓋（１２０）と、前記盗難防止ボックス（１００）がアラーム・ゲートを通過する場合に中央アラームをトリガするアラーム送信器と、前記蓋（１２０）を前記本体（１１０）に対して施錠する解放可能な錠（１４０、１４５、１５０、１６０）とを有しており、前記解放可能な錠（１４０、１４５、１５０、１６０）が施錠位置になっていると閉じられると共に前記解放可能な錠（１４０、１４５、１５０、１６０）が解錠位置になっていると開かれるように制御される内部アラーム回路（２００）であって、該内部アラーム回路（２００）は第一スイッチ（２１０）を有し、該第一スイッチ（２１０）は、閉じられた状態において、前記蓋（１２０）と前記本体（１１０）とが分離されているのを該第一スイッチ（２１０）が示す場合に前記アラーム回路をトリガして音響信号を放出させるように構成されている、内部アラーム回路を特徴とする盗難防止ボックス。
【請求項２】
前記アラーム回路（２００）は、前記錠（１４０、１４５、１５０、１６０）が施錠位置になっているかどうかを示す第二スイッチ（２２０）に接続されている請求項１記載の盗難防止ボックス。
【請求項３】
前記アラーム回路（２００）にはタイミング回路が設けられており、該タイミング回路は、前記アラーム回路がトリガされるとすぐ所定時間に亘ってサイレン（２００）を鳴らす請求項１又は２記載の盗難防止ボックス。
【請求項４】
前記アラーム回路（２００）が閉じているかどうかをダイオード・ランプ（２４０）が示す前記請求項のいずれかに記載の盗難防止ボックス。
【請求項５】
前記解放可能な錠（１４０、１４５、１５０、１６０）の位置を示す第二スイッチ（２２０）は、前記アラーム回路（２００）を閉じるように構成されている請求項２記載の盗難防止ボックス。
【請求項６】
前記音響信号は、ピエゾ電気型サイレン（２４０）によって発生される前記請求項のいずれかに記載の盗難防止ボックス。
【請求項７】
品物を保護するための盗難防止ボックスであって、
保護される品物用の内部空間を限定している本体と、
該本体を閉鎖するように作動可能な蓋と、
該蓋を前記本体に対して施錠するように作動可能な解放可能錠と、
前記蓋が開いているか、又は閉じているかどうかを検出するように構成された第一スイッチと、
錠部材が施錠位置になっているのを示すように構成された第二スイッチと、
前記蓋が開いているのを前記第一スイッチが示し、前記錠が施錠位置になっているのを前記第二スイッチが示したのに応答してアラームを鳴らすように構成された内部アラーム回路と、
を有していることを特徴とする盗難防止ボックス。
【国際調査報告】
2008529154.tif 000006
2008529154.tif 000007
2008529154.tif 000008